(57)【特許請求の範囲】
【請求項１】
火災受信機に接続された感知器回線と、該感知器回線に接続されスイッチング動作によって火災信号を前記感知器回線に出力する１又は複数の火災感知器と、前記感知器回線の終端に接続される終端素子を有する終端器と、を備えた火災報知設備において、
前記火災感知器及び前記終端器は、
異常信号用配線で接続され、
前記火災感知器は、
自己点検により自己の不具合を検出する点検手段と、該点検手段の結果に基づき、不具合があるときには異常信号を前記異常信号用配線に出力する出力手段と、を備え、
前記終端器は、
前記異常信号を受信したときに前記感知器回線を断線させる断線発生手段を有し、
前記火災受信機は、
前記断線発生手段が前記感知器回線を断線させたときに断線警報を発する断線警報発報手段を備えた
ことを特徴とする火災報知設備。
【請求項２】
前記終端器は、
前記終端素子が設けられた前記火災感知器である
ことを特徴とする請求項１記載の火災報知設備。
【請求項３】
スイッチング動作によって火災信号を出力する火災感知器が接続される感知器回線の終端に接続され、終端素子を有する終端器において、
前記火災感知器と異常信号用配線で接続され、
前記火災感知器の自己点検に基づいて前記異常信号用配線に出力された異常信号を受信する受信手段と、
前記受信手段が前記異常信号を受信したときに前記終端素子を切り離して前記感知器回線を断線させる切り離し手段とを備えた
ことを特徴とする終端器。
【発明の詳細な説明】
【技術分野】
【０００１】
本発明は、終端器、及び火災報知設備に関するものである。
【背景技術】
【０００２】
例えば、従来の火災報知設備には、火災受信機が中央監視室内に配設されて、火災受信機からライン線と、コモン線が配設され、ライン線とコモン線は終端抵抗を介して接続されているものがある（例えば、特許文献１参照）。
【先行技術文献】
【特許文献】
【０００３】
【特許文献１】特開平６−１７６２８９号公報（例えば、段落［００１６］〜［００１９］、及び図１参照）
【発明の概要】
【発明が解決しようとする課題】
【０００４】
特許文献１に記載の技術は、例えば、火災感知器に不具合が発生した場合に、火災受信機、例えばＰ型受信機はその旨を受信して、警報や表示等の制御をすることができない。
また、火災感知器に不具合が発生したことを火災受信機に出力する自己点検機能を備えることで、火災感知器に不具合が発生したかを表示させる場合には、火災受信機を専用の火災受信機（例えば、Ｒ型）に取り替えなければならないという問題があった。
【０００５】
本発明は、以上のような課題を解決するためになされたもので、既設の火災受信機を取り替えることなく、火災感知器で発生した不具合を専用の火災受信機でない火災受信機でも報知することを可能とする火災報知設備及びそれに利用する終端器を提供することを目的としている。
【課題を解決するための手段】
【０００６】
本発明に係る火災報知設備は、火災受信機に接続された感知器回線と、該感知器回線に接続されスイッチング動作によって火災信号を感知器回線に出力する１又は複数の火災感知器と、感知器回線の終端に接続される終端素子を有する終端器と、を備えた火災報知設備において、火災感知器及び終端器は、異常信号用配線で接続され、火災感知器は、自己点検により自己の不具合を検出する点検手段と、該点検手段の結果に基づき、不具合があるときには異常信号を異常信号用配線に出力する出力手段と、を備え、終端器は、異常信号を受信したときに感知器回線を断線させる断線発生手段を有し、火災受信機は、断線発生手段が感知器回線を断線させたときに断線警報を発する断線警報発報手段を備えたことを特徴とするものである。
【０００７】
本発明に係る終端器は、スイッチング動作によって火災信号を出力する火災感知器が接続される感知器回線の終端に接続され、終端素子を有する終端器において、火災感知器と異常信号用配線で接続され、火災感知器の自己点検に基づいて異常信号用配線に出力された異常信号を受信する受信手段と、受信手段が異常信号を受信したときに終端素子を切り離して感知器回線を断線させる切り離し手段とを備えたことを特徴とするものである。
【発明の効果】
【０００８】
本発明に係る火災報知設備によれば、断線発生手段が、感知器回線に出力された異常信号を受信したときに感知器回線を断線させ、そして、断線警報発報手段が感知器回線が断線したときに断線警報を発する。これにより、本発明に係る火災報知設備は、専用の火災受信機でない場合でも、リニューアルすることなく、既設の火災受信機で火災感知器の不具合を報知することができる。
【０００９】
本発明に係る終端器によれば、受信手段が異常信号を受信したときに終端素子を切り離して感知器回線を断線させる切り離し手段を備えたので、専用の火災受信機でない場合でも、リニューアルすることなく、既設の火災受信機で火災感知器の不具合を報知することができる。
【図面の簡単な説明】
【００１０】
【図１】本発明の実施の形態１に係る火災報知設備の概要構成例図である。
【図２】図１に示す終端抵抗が設けられた火災感知器の制御回路の構成の一例である。
【図３】（ａ）が通常時と火災時における感知器回線の電圧を示し、（ｂ）が通常時と不具合発生時の感知器回線の電圧を示すものである。
【図４】本発明の実施の形態２に係る火災報知設備の概要構成例図である。
【図５】本発明の実施の形態３に係る火災報知設備の概要構成例図である。
【発明を実施するための形態】
【００１１】
以下、本発明の実施の形態を図面に基づいて説明する。
【００１２】
・実施の形態１
図１は、本発明の実施の形態１に係る火災報知設備１００の概要構成例図である。なお、図１を含め、以下の図面では各構成部材の大きさの関係が実際のものとは異なる場合がある。また、図１においては、終端抵抗が接続されていない３つの火災感知器２Ａが設けられ、終端素子としての終端抵抗Ｒが装着された１つの火災感知器２Ｂが設けられた場合を一例として図示している。ここで、火災感知器２Ａの数はそれに限定されるものではない。
【００１３】
火災報知設備１００は、火災感知器２のそれぞれで発生した不具合を報知することができるとともに、その不具合を火災受信機１で警報させることで把握することを可能にしたものである。
【００１４】
火災報知設備１００は、建物（例えば、ホテル、マンションなどの集合住宅、オフィスビル、商業施設など）の各部屋等に設置される火災感知器２と、火災感知器２の検出結果に基づいた警報をするＰ型の火災受信機１とが、感知器回線３であるコモン線３Ａ及びライン線３Ｂにより接続されて構成されている。Ｐ型火災受信機とは、コモン線３Ａ、ライン線３Ｂからなる感知器回線に接続されている火災感知器の電気的な接点が閉じることにより、感知器回線の電気的な変化に基づいて火災を判断するものである。以下、コモン線３Ａ及びライン線３Ｂをまとめて感知器回線３と称する場合がある。
【００１５】
［火災報知設備１００の構成］
火災受信機１は、感知器回線３の電圧等の変化に基づいて、火災の発生を報知するものである。火災受信機１は、例えば、火災を音声で報知するためのスピーカや、表示で報知するためのランプなどが設けられている。なお、火災受信機１は、感知器回線３の断線時には音声やランプによる断線警報により断線したことを報知するが、火災感知器２に不具合があった場合にも、火災感知器２の不具合を、感知器回線３の断線時と同様に断線警報で報知することができる。この火災受信機１は、コモン線３Ａ及びライン線３Ｂを介して１個又は複数の火災感知器２に接続されている。なお、この火災受信機１は、例えば、建物の防災センタなどといった中央管理室に接続されている。そして、火災受信機１が検出した火災や不具合は、防災センタで報知される。
【００１６】
火災感知器２は、火炎によって生じる熱、煙、炎などを検出し、感知器回線３を介して火災受信機１に火災信号を出力するものである。なお、本実施の形態１に係る火災感知器２の火災信号とは、火災感知器２のスイッチング動作によって感知器回線３のインピーダンスを小さくするものとして説明する。また、火災感知器２は、出力値異常等の自身の不具合を検出すると、その旨を不具合信号である異常信号として出力する。また、以下の説明においては、火災感知器２が「熱、煙、炎など」を検知したことを、火災感知器２が「火災」を検知したと述べるものとする。この火災感知器２は、いわゆる送り配線の方式で、それぞれが並列の接続関係となるように感知器回線３を介して火災受信機１に接続されている。
【００１７】
火災感知器２には、後述の終端抵抗Ｒが設けられた火災感知器２Ｂと、この終端抵抗Ｒが設けられていない火災感知器２Ａとがある。すなわち、本実施の形態１においては、火災感知器２Ｂが火災受信機１に対して感知器回線３の終端に接続され、火災受信機１と終端の火災感知器２Ｂとの間に他の火災感知器２Ａが接続されている。つまり、この火災感知器２Ｂは、火災受信機１に対して感知器回線３の終端に接続される終端器となっている。
【００１８】
終端の火災感知器２Ｂは、他の火災感知器２Ａから出力された異常信号、及び自身の異常信号に基づいて、終端抵抗Ｒと感知器回線３の接続を切り離し、断線させるように制御するものである。
【００１９】
終端抵抗Ｒは、いわゆる送り配線の方式で接続されている感知器回線３の終端（末端）に接続されている抵抗である。これにより、感知器回線３に微弱な電流を流し、火災受信機１が断線を監視している。本実施の形態１に係る終端抵抗Ｒは、火災感知器２Ｂの内部回路を通じて感知器回線３と接続されている。
【００２０】
感知器回線３は、コモン線３Ａ及びライン線３Ｂより構成され、火災受信機１と火災感知器２とを接続するものである。コモン線３Ａ及びライン線３Ｂには、いわゆる送り配線の方式で、それぞれの火災感知器２が並列の接続関係となるように接続されている。なお、このコモン線３Ａ及びライン線３Ｂは、これらが１組で１回線を構成する。すなわち、例えば火災受信機１からコモン線３Ａを共通として、ライン線３Ｂを複数本引き出して複数回線とすると、回線ごとに火災信号を受信することができる。
【００２１】
［火災感知器２Ｂの構成］
図２は、図１に示す終端抵抗Ｒが設けられた火災感知器２Ｂの制御回路５０の構成の一例である。図２を参照して、火災感知器２Ｂの制御回路５０の構成について説明する。
【００２２】
火災感知器２Ｂは、火災感知器２Ａからの異常信号を受信する受信回路１０、受信回路１０などに動作用の所定の定電圧を供給する定電圧回路１１、火災に関する煙や熱等を検出する検出回路１４と、検出回路１４の出力及び受信回路１０の出力に基づいて火災の発生や自身の不具合の発生を判別する判別回路１３と、判別回路１３に制御されるスイッチング回路１２及び切離回路１５と、終端抵抗Ｒが感知器回線３に接続されているか否かを検出する入力回路１６と、切離回路１５及び入力回路１６に接続される終端抵抗Ｒと、火災時などに点滅する動作表示灯１７とを有している。
【００２３】
受信回路１０は、火災感知器２Ａから出力される異常信号（第１の異常信号）を受信し、その受信結果を判別回路１３に出力するものである。この受信回路１０は、コモン線３Ａ、定電圧回路１１、及び判別回路１３に接続されている。受信回路１０は、火災感知器２Ｂのように終端抵抗Ｒが設けられた火災感知器２Ｂで動作させるものであり、火災感知器２Ａでは動作させる必要がない。ここで、第１の異常信号は、火災感知器２Ａから火災感知器２Ｂに出力される信号を指す。
【００２４】
定電圧回路１１は、火災受信機１から感知器回線３を介して供給される電源電圧を、所定の電圧値、例えば５（Ｖ）などに変換し、供給するものである。図２に示すように、定電圧回路１１は、判別回路１３及び検出回路１４に接続されており、これらに動作電圧を供給している。なお、定電圧回路１１は、例えば定電圧ＩＣなどから構成される。
【００２５】
検出回路１４は、火災によって生じる熱、煙、炎などを検出し、検出結果を出力するものである。この検出回路１４は、判別回路１３に接続されている。 
【００２６】
判別回路１３は、検出回路１４の出力のレベル判定などを実施して、火災であるか否かを判別し、その判別結果に基づいてスイッチング回路１２を制御し、火災受信機１に火災信号を出力するものである。なお、判別回路１３は、火災であると判別した場合に、動作表示灯１７を点灯させる。また、判別回路１３は、検出回路１４が設けられた火災感知器２の不具合を出力値監視方式によって検出し、その検出の結果、不具合があれば異常信号として火災感知器２自らの不具合を認識するものである。ここで、第２の異常信号は、火災感知器２Ｂの検出回路１４から判別回路１３に出力される信号を指す。
【００２７】
なお、出力値監視方式とは、火災感知器２が火災を検出していないときの出力値が、火災感知器２が初期設置された状態における出力値に対して、どれだけ変化しているかを検出し、火災感知器２の不具合を検出する方式である。検出回路１４が火災感知器２の不具合を検出する方式は、それに限定されるものではなく、例えば、擬似出力方式として、自ら熱や光の擬似入力を行う方式もあるが、本実施の形態１に係る検出回路１４は出力値監視方式を採用しているものとして説明する。また、判別回路１３は、出力値異常と判別した場合に、火災感知器２に不具合があることを外部に表示して識別させる表示手段として、動作表示灯１７を点滅させる。
【００２８】
また、判別回路１３は、検出回路１４から出力された第２の異常信号と、他の火災感知器２から出力され、感知器回線３及び受信回路１０を介して出力された第１の異常信号と、に基づいて切離回路１５を制御するものである。
【００２９】
具体的には、火災感知器２Ｂに設けられた判別回路１３は、検出回路１４から出力される第２の異常信号のレベル判定、又は受信回路１０から出力される第１の異常信号のレベル判定を実施して、感知器回線３上にある火災感知器２が異常であるか否かを判別し、その判別結果に基づいて切離回路１５を制御するものである。
【００３０】
さらに、判別回路１３は、入力回路１６の出力に基づいて、切離回路１５が終端抵抗Ｒと感知器回線３とを接続しているか否か、つまり火災感知器２に終端抵抗Ｒが接続されているか否かを判別するものである。この判別回路１３は、受信回路１０、検出回路１４、スイッチング回路１２、切離回路１５、入力回路１６、及び動作表示灯１７に接続されている。なお、判別回路１３は、例えばマイクロプロセッサなどで構成するとよい。
【００３１】
スイッチング回路１２は、判別回路１３が火災であると判別すると閉じた状態となって、火災受信機１に火災信号を出力するものである。すなわち、判別回路１３は火災であると判別するとその判別結果に対応する出力をし、その出力を受信したスイッチング回路１２は感知器回線３を低インピーダンス状態に維持する。スイッチング回路１２が感知器回線３を低インピーダンス状態に維持することを、火災感知器２Ｂから火災受信機１への火災信号としている。また、低インピーダンスとは、火災が発生していない状態における感知器回線３のインピーダンスに対してインピーダンスが低いということである。このスイッチング回路１２は、判別回路１３、及び感知器回線３に接続されている。なお、スイッチング回路１２は、例えばトランジスタなどにより構成するとよい。
【００３２】
切離回路１５は、判別回路１３の出力に基づいて、終端抵抗Ｒと感知器回線３との接続を制御するものである。すなわち、判別回路１３は火災感知器２のいずれかが不具合であると判別するとその判別結果に対応する出力をし、その出力を受信した切離回路１５は感知器回線３と終端抵抗Ｒとの接続を切離す。このように、切離回路１５によって感知器回線３と終端抵抗Ｒとの接続が切離されると、感知器回線３は断線状態となり、火災受信機１の詳細に説明しない断線検出回路によって検出され、火災受信機１が断線警報を報知する。この切離回路１５は、コモン線３Ａと接続され、終端抵抗Ｒの接続部を有する。
【００３３】
終端抵抗Ｒは、切離回路１５を介してコモン線３Ａに接続され、入力回路１６を介してライン線３Ｂに接続されるものである。終端抵抗Ｒは、終端素子として、特に限定されるものではなく、例えばリード線を有する抵抗などを採用してもよい。
【００３４】
入力回路１６は、判別回路１３に、火災感知器２自身に終端抵抗Ｒが接続されているか否かを判別させるものである。具体的には、入力回路１６は終端抵抗Ｒが常時閉の切離回路１５を介して感知器回線３に接続されているか否かを検出するように判別回路１３に対して出力し、その出力に基づいて判別回路１３は終端抵抗Ｒが装着されているか否かを判別する。この入力回路１６は、判別回路１３、及びライン線３Ｂに接続され、終端抵抗Ｒの接続部を有する。
【００３５】
動作表示灯１７は、判別回路１３の出力に基づいて、火災時、不具合時において点灯又は点滅制御されるものである。この動作表示灯１７は、判別回路１３、及びライン線３Ｂに接続されている。なお、動作表示灯１７は、例えばＬＥＤなどの発光素子を採用するとよい。
【００３６】
［火災感知器２Ａの構成］
火災感知器２Ａは、終端抵抗Ｒが設けられていない点以外では火災感知器２Ｂと同様の構成である。すなわち、火災感知器２Ａは、受信回路１０と、定電圧回路１１と、検出回路１４と、判別回路１３と、スイッチング回路１２と、切離回路１５と、入力回路１６と、動作表示灯１７とを有している。なお、火災感知器２Ａは、終端抵抗Ｒと共に、受信回路１０、切離回路１５及び入力回路１６が設けられていなくてもよい。
【００３７】
また、火災感知器２Ａに設けられた判別回路１３については、検出回路１４の出力のレベル判定などを実施して、火災感知器２Ａが不具合であるか否かを判別する。そして、火災感知器２Ａに設けられた判別回路１３は、その判別結果に基づいてスイッチング回路１２を制御し、スイッチング回路１２に異常信号を出力させる。
【００３８】
さらに、火災感知器２Ａに設けられたスイッチング回路１２については、判別回路１３が火災感知器２の不具合を判別すると、終端の火災感知器２Ｂに感知器回線３を介して異常信号を出力する。すなわち、火災感知器２Ａに設けられた判別回路１３は火災感知器２Ａが不具合であると判別するとその判別結果に対応する出力をし、その出力を受信したスイッチング回路１２は感知器回線３を介して、終端抵抗Ｒが接続された火災感知器２Ｂに異常信号を出力する。
【００３９】
なお、火災感知器２Ａの検出回路１４、判別回路１３、及びスイッチング回路１２によって、自己点検により自己の不具合を検出する点検手段、及びその点検手段の結果に基づき、不具合があるときには異常信号を感知器回線３に出力する出力手段を構成している。
【００４０】
また、火災感知器２Ｂの切離回路１５は切り離し手段を構成する。切り離し手段は、受信回路１０が異常信号を受信したときに終端抵抗Ｒを切り離して感知器回線３を断線させる。その切り離し手段と火災感知器２Ｂの終端抵抗Ｒとで、出力手段からの異常信号を受信したときに感知器回線３を断線させる断線発生手段を構成する。本実施形態１における断線発生手段は、感知器回線３の終端部に接続され、出力手段によって送信された異常信号を受信する受信手段と、終端素子に接続され、受信手段が異常信号を受信したときに終端素子を切り離して感知器回線３を断線させる切り離し手段と、を備えている。断線発生手段は、火災感知器２の不具合の場合には終端抵抗Ｒを断続的に切り離して、断線の場合と区別できるようにしても良い。
【００４１】
また、火災感知器２Ｂの受信回路１０は感知器回線３からの異常信号を受信する受信手段を構成している。さらに、火災感知器２Ａ、２Ｂの動作表示灯１７は表示手段を構成し、火災感知器２Ａ、２Ｂの入力回路１６は終端抵抗Ｒが接続されていることを検出する入力手段を構成している。その入力手段が終端抵抗Ｒの接続を検出したときに、受信回路１０による異常信号の受信に基づいて、切り離し手段が終端抵抗Ｒを切り離す。さらに、火災受信機１は、火災感知器２に不具合があった場合に、感知器回線３を断線させることで、断線警報として報知するためのランプやスピーカといった断線警報発報手段を有している。
【００４２】
［動作説明］
図１及び図２を参照して、火災時における火災報知設備１００の動作例を説明する。
【００４３】
（１）各火災感知器２は、起動時に入力回路１６を動作させ、判別回路１３に終端抵抗Ｒの有無を判別させる。
【００４４】
（２）判別回路１３は終端抵抗Ｒがないと判別した場合に終端抵抗Ｒが設けられていない火災感知器２Ａとして動作し、終端抵抗Ｒがあると判別した場合に火災感知器２Ｂとして動作する。また、各火災感知器２は、動作中において、所定間隔で火災判別を行う。なお、この動作中において、各火災感知器２は、出力値監視方式により、自身に不具合があるか否かも判別している。
【００４５】
（３）火災感知器２Ａに設けられた判別回路１３においては、検出回路１４の出力値から自身が不具合であると判別すると、スイッチング回路１２を制御して感知器回線３のインピーダンスを変化させる。すなわち、火災感知器２Ａに設けられた判別回路１３から異常信号が出力される。ここで、このインピーダンスの変化は、例えば、感知器回線３の電圧をパルス的に変化させて行うとよい。なお、このパルス的な変化の一例については、後述する図３にて説明する。
一方、火災感知器２Ｂに設けられた判別回路１３においては、検出回路１４の出力値から自身が不具合であると判別しても、スイッチング回路１２を制御して感知器回線３のインピーダンスを変化させる動作を実施しない。すなわち、火災感知器２Ｂに設けられた判別回路１６は、後述するように切離回路１５を直接制御する。
なお、不具合であると判別された火災感知器２Ａ、２Ｂの判別回路１３は、動作表示灯１７を点滅動作させて、外観的にユーザーに不具合であることを報知する。
【００４６】
（４）火災感知器２Ｂの受信回路１０は、感知器回線３の電圧を監視している。すなわち、火災感知器２Ｂの受信回路１０は、火災感知器２Ａからの異常信号を感知器回線３を介して受信する。
【００４７】
（５）火災感知器２Ｂの受信回路１０が、火災感知器２Ａからの異常信号を受信すると、その受信結果が判別回路１３に出力される。そして、この出力を受けた判別回路１３は、切離回路１５を、感知器回線３と終端抵抗Ｒとの接続を切離すように制御する。
また、火災感知器２Ｂの判別回路１３が検出回路１４の出力により火災感知器２Ｂ自らの不具合を検出した場合においては、火災感知器２Ｂの判別回路１３から自らに異常信号が設定される。そして、この設定を受けた判別回路１３は、切離回路１５を、感知器回線３と終端抵抗Ｒとの接続を切離すように制御する。
【００４８】
（６）火災受信機１は、終端抵抗Ｒが感知器回線３から切り離されたこと、すなわち感知器回線３が断線したことを、詳細に説明しない断線検出回路によって検出すると、防災センタ内で自己の盤面に断線した旨が表示されるとともに、火災受信機１がその旨を音声や表示で出力する。
【００４９】
（７）なお、（３）〜（６）における不具合を検出する動作時においても、火災報知設備１００は、火災を検出可能である。すなわち、火災感知器２が火災を検出した場合には、火災感知器２は感知器回線３を介して火災受信機１に火災信号を出力する。そして、火災受信機１は、出力された火災信号に基づいて、スピーカからの音声やランプの点滅により火災を報知することができる。
【００５０】
［火災信号及び異常信号について］
図３は、（ａ）が通常時と火災時における感知器回線３の電圧を示し、（ｂ）が通常時と不具合発生時の感知器回線３の電圧を示すものである。図３に基づいて、火災信号及び異常信号の一例について説明する。
【００５１】
火災感知器２Ａ、２Ｂが出力する火災信号は、火災がない通常時の感知器回線３の電圧値を例えば約２４（Ｖ）と設定しているとき、この電圧値を例えば約８（Ｖ）に変化させて構成する。
【００５２】
火災感知器２Ａが出力する異常信号としては、火災がないときの（通常時）感知器回線３の約２４（Ｖ）から、短い間隔で、所定回数だけパルス的に電圧を変化させて構成される信号を採用するとよい。なお、図３では、所定回数を２回としたものを一例として図示している。これにより、１回目の電圧変化を火災感知器２Ｂの判別回路１３が捕らえきれなくても、２回目の電圧変化で判別回路１３が確実にこの電圧変化が異常信号であるかを確認することができる。したがって、所定回数は、２回以上に設定するとよい。
【００５３】
［火災報知設備１００の有する効果］
本実施の形態１に係る火災報知設備１００は、火災感知器２Ｂの判別回路１３が、感知器回線３を介して火災感知器２Ａから異常信号を受信した際、又は火災感知器２Ｂ自身の不具合を検出した際に、切離回路１５を制御して、終端抵抗Ｒと感知器回線３との接続を切り離す。すなわち、火災感知器２Ｂの判別回路１３は、感知器回線３と終端抵抗Ｒとの接続を切り離し、感知器回線３を断線させる。これにより、Ｐ型の火災受信機１であっても、感知器回線３の断線を異常信号として検出することができ、火災感知器２の不具合を知ることができる。すなわち、本実施の形態１に係る火災報知設備１００は、火災感知器２の自己点検による結果を受信して制御できる専用の火災受信機ではない火災受信機１でも火災感知器２の不具合を報知することができる。
【００５４】
また、本実施の形態１に係る火災報知設備１００は、例えば、既に建物に設けられたＰ型の火災報知設備に対して適用する場合において有効である。すなわち、既に建物に設けられたＰ型の火災報知設備の火災感知器のうち終端の火災感知器を火災感知器２Ｂとし、それ以外の火災感知器を火災感知器２Ａとすることで、火災報知設備１００を得ることができるということである。これは、既に建物に設けられたＰ型の火災報知設備の火災受信機を、専用の火災受信機（例えばＲ型）とするよりも低コストで実施することができる。
【００５５】
また、火災感知器２Ａは、火災感知器２Ｂに比べ、終端抵抗Ｒと共に、受信回路１０、切離回路１５及び入力回路１６が不要なので、安価に製造が可能となる。その一方で、火災感知器２Ａの構成は、火災感知器２Ｂと同一にすることもできる。この場合は、火災報知設備１００に同じ火災感知器２Ｂを設置するだけで良いので、効率の良い施工が可能となる。
【００５６】
・実施の形態２
以上の実施の形態１では、終端抵抗Ｒが設けられる火災感知器２Ｂが火災感知器としての機能を有している場合について説明した。図４は、本発明の実施の形態２に係る火災報知設備の概要構成例図である。本実施の形態２では、火災報知設備２００を、感知器回線３の終端に、火災感知器としての機能を有していない終端器である終端装置２５を接続して構成したものである。この終端装置２５は、火災受信機１に対して終端の感知器回線３に接続される終端器である。なお、本実施の形態２では、主に実施の形態１との相違点を中心に説明するものとする。
【００５７】
火災報知設備２００は、火災感知器としての機能を有していない終端装置２５、及び火災感知器２０が、感知器回線３を介して火災受信機１に接続されて構成されている。
【００５８】
終端装置２５は、受信回路１０、切離回路１５、及び判別回路１３の３つが設けられていればよい。また、火災感知器２０は、図２に図示された構成のうち、終端抵抗Ｒ、受信回路１０、切離回路１５、及び入力回路１６を除いた構成が設けられていればよい。
【００５９】
このように、本実施の形態２に係る火災報知設備２００は、終端器専用の終端装置２５を用いることにより、火災感知器２０、及び終端装置２５の制御回路の構成が複雑になることを抑制することができる。
なお、本実施の形態２の動作は、実施の形態１と同様に行える。
【００６０】
・実施の形態３
図５は、本発明の実施の形態３に係る火災報知設備の概要構成例図である。本実施の形態３に係る火災報知設備３００は、感知器回線３とは別体の異常信号用配線３１によって火災感知器３０を接続して構成したものである。なお、本実施の形態３では、主に実施の形態１、２との相違点を中心に説明するものとする。
【００６１】
本実施の形態３に係る火災報知設備３００は、火災信号を感知器回線３に出力し、異常信号を異常信号用配線３１に出力するように構成したものである。本実施の形態３に係る火災感知器３０Ａの制御回路の構成は、図２に図示される構成に加えて、異常信号用配線３１に異常信号を出力する送信回路が別途設けられる。また、本実施の形態３に係る火災感知器３０Ｂの受信回路１０については、異常信号用配線３１に接続する構成とすればよい。
なお、本実施の形態３の動作は、実施の形態１と同様に行える。
【００６２】
このように、本実施の形態３に係る火災報知設備３００は、火災信号を感知器回線３に出力し、異常信号を異常信号用配線３１に出力するように構成したので、火災信号と異常信号とが干渉することを抑制することができ、火災報知設備３００の動作の確実性を向上させることができる。
【００６３】
なお、実施の形態３に係る火災感知器３０は、実施の形態２の火災感知器２０及び終端装置２５のように構成してもよい。
また、実施の形態１〜３の記載内容は、適宜組み合わせてもよいことは言うまでもない。
【符号の説明】
【００６４】
１ 火災受信機、２ 火災感知器、２Ａ 火災感知器、２Ｂ 火災感知器、３ 感知器回線、３Ａ コモン線、３Ｂ ライン線、１０ 受信回路、１１ 定電圧回路、１２ スイッチング回路、１３ 判別回路、１４ 検出回路、１５ 切離回路、１６ 入力回路、１７ 動作表示灯、２０ 火災感知器、２５ 終端装置、３０ 火災感知器、３０Ａ 火災感知器、３０Ｂ 火災感知器、３１ 異常信号用配線、５０ 制御回路、１００、２００、３００ 火災報知設備、Ｒ 終端抵抗。
【図１】
0005940187.tif 000002
【図２】
0005940187.tif 000003
【図３】
0005940187.tif 000004
【図４】
0005940187.tif 000005
【図５】
0005940187.tif 000006